(57)【要約】      （修正有）【課題】１つのキャップ機構に対し、記録ヘッドのキャップに供給する液体の種類を必要に応じて切り替えることにより、ヘッドの吐出性能を維持する記録装置及びその制御方法を提供する。【解決手段】インクを吐出して画像を記録する記録ヘッドと、記録ヘッドのキャップ１２０１と、複数種類の保守用液ＴＫ１、ＴＫ２のうちの一つを選択的にキャップへと供給する供給部とを有する記録装置において、記録ヘッドの回復処理のために、バルブ１２０４により供給する保守用液を切り替えてキャップに供給する。【選択図】図９
2020023110.tif 000002
【特許請求の範囲】
【請求項１】
インクを吐出する吐出口を有し画像を記録する記録ヘッドと、
前記吐出口をキャッピングするためのキャップと、
複数種類の保守用液のうちの一つを選択的に前記キャップ内に供給する供給手段と
を有することを特徴とする記録装置。
【請求項２】
前記供給手段は、
第１保守用液を貯留する第１貯留手段と、
第２保守用液を貯留する第２貯留手段と、
前記第１貯留手段と前記キャップとを結ぶ第１流路と、
前記第２貯留手段と前記キャップとを結ぶ第２流路と、
前記第１流路と前記第２流路のいずれか一方が前記キャップと接続されるように切り替える切替手段とを含むことを特徴とする請求項１に記載の記録装置。
【請求項３】
前記供給手段を制御する制御手段を更に有し、
前記制御手段は、前記記録ヘッドに対する回復処理に応じて前記切替手段を切り替えていずれかの保守用液を前記キャップに供給する
ことを特徴とする請求項２に記載の記録装置。
【請求項４】
前記キャップがキャッピングしていた時間を計測する計測手段と、
前記記録ヘッドから前記キャップに対して予備吐出した吐出数をカウントするカウンタと、を備え、
前記第１保守用液は保湿液であり、前記第２保守用液は洗浄液であり、
前記制御手段は、前記計測時間により計測した前記時間が第１閾値以上の場合は前記切替手段により前記第１流路と前記キャップとを接続する保湿処理を実行し、前記カウンタによりカウントした前記吐出数が第２閾値以上の場合は前記切替手段により前記第２流路と前記キャップとを接続する洗浄処理を実行することを特徴とする請求項３に記載の記録装置。
【請求項５】
前記制御手段は、前記保湿処理の後に前記洗浄処理を実行することを特徴とする請求項４に記載の記録装置。
【請求項６】
前記制御手段は、前記記録装置の起動時に前記記録ヘッドの回復処理を行う
ことを特徴とする請求項３乃至５のいずれか１項に記載の記録装置。
【請求項７】
前記記録ヘッドは、記録するための位置と前記回復処理のための位置との間で移動でき、
前記制御手段は、前記記録ヘッドが前記回復処理のための位置にある場合に、前記回復処理を行う
ことを特徴とする請求項３乃至６のいずれか１項に記載の記録装置。
【請求項８】
前記第１流路と前記キャップ、及び、前記第２流路と前記キャップをそれぞれ接続する共通の供給経路を備え、
前記切替手段は、前記第１流路と前記供給経路が接続される状態と、前記第２流路と前記供給経路が接続される状態と、に切り替え可能な三方弁であることを特徴とする請求項２乃至７のいずれか１項に記載の記録装置。
【請求項９】
前記キャップには、前記記録ヘッドを吸引する手段と、前記記録ヘッドのヘッド面を清拭する手段とを更に有する
ことを特徴とする請求項１乃至８のいずれか１項に記載の記録装置。
【請求項１０】
複数の前記記録ヘッドと、それぞれの記録ヘッドと対応したキャップとを有する
ことを特徴とする請求項１乃至９のいずれか一項に記載の記録装置。
【請求項１１】
インクを吐出する吐出口を有し画像を記録する記録ヘッドと、
前記吐出口をキャッピングするためのキャップと、を備える記録装置の制御方法であって、
複数種類の保守用液のうちの一つを選択的に前記キャップ内に供給する供給する
ことを特徴とする制御方法。
【請求項１２】
第１保守用液を貯留する第１貯留手段と、第２保守用液を貯留する第２貯留手段と、前記第１貯留手段と前記キャップとを結ぶ第１流路と、前記第２貯留手段と前記キャップとを結ぶ第２流路と、を備え、
前記第１流路と前記第２流路のいずれか一方が前記キャップと接続されるように切り替える切替工程を有することを特徴とする請求項１１に記載の制御方法。
【請求項１３】
前記切替工程は、前記記録ヘッドに対する回復処理に応じて切り替えることでいずれかの保守用液を前記キャップに供給することを特徴とする請求項１２に記載の制御方法。
【請求項１４】
前記キャップがキャッピングしていた時間を計測する計測工程と、
前記記録ヘッドから前記キャップに対して予備吐出した吐出数をカウントするカウント工程と、を有し、
前記第１保守用液は保湿液であり、前記第２保守用液は洗浄液であり、
前記計測工程において計測した前記時間が第１閾値以上の場合は前記切替工程において前記第１流路と前記キャップとを接続する保湿処理を実行し、前記カウント工程においてカウントした前記吐出数が第２閾値以上の場合は前記切替工程において前記第２流路と前記キャップとを接続する洗浄処理を実行することを特徴とする請求項１３に記載の制御方法。
【請求項１５】
前記保湿処理の後に前記洗浄処理を実行することを特徴とする請求項１４に記載の制御方法。
【請求項１６】
前記記録装置の起動時に前記記録ヘッドの回復処理を行うことを特徴とする請求項１３乃至１５のいずれか１項に記載の制御方法。
【請求項１７】
前記記録ヘッドは、記録するための位置と前記回復処理のための位置との間で移動でき、前記記録ヘッドが前記回復処理のための位置にある場合に、前記回復処理を行うことを特徴とする請求項１３乃至１６のいずれか１項に記載の制御方法。
【請求項１８】
前記キャップには、前記記録ヘッドを吸引する手段と、前記記録ヘッドのヘッド面を清拭する手段とを更に有することを特徴とする請求項１１乃至１７のいずれか１項に記載の制御方法。
【発明の詳細な説明】
【技術分野】
【０００１】
本発明は、液体吐出装置を用いてインク像の形成を行う記録装置、特にその吐出装置のメンテナンス機構および制御方法に関する。
【背景技術】
【０００２】
液体吐出装置（以下、ヘッド）によってインク像を形成する画像印刷装置において、ヘッドの吐出性能を維持するために、ヘッドの吐出面と対になる形で吐出面全体を覆うキャップを持つものが公知である。キャップは、ヘッドの液体吐出性能を維持するために用いられる。キャップを用いて、例えば定期的にインクの吐出を行う（以下、予備吐）際のインクを受けたり、吐出口周辺の汚れを洗浄する液（以下、洗浄液）を入れたり、吐出口が乾燥しインクが固着するのを防ぐためヘッドを覆ったりする。キャップによって確実に吐出口の乾燥を防ぐために、以下のような構成およびその制御方法が提案されている。１つはキャップ内に、ヘッドから吐出したインクもしくは、別経路からキャップ内に供給した洗浄液を貯める構成である。洗浄液を貯めたキャップとヘッドの吐出面を当接させる（以下、キャッピングする）ことによって湿度を保ち吐出口の乾燥を防ぐ。または、ヘッドの予備吐出を受けるキャップとは別に、保湿するための専用のキャップを設け、用途に応じてキャップ自体を切り替える構成も提案されている。
【先行技術文献】
【特許文献】
【０００３】
【特許文献１】特許第4958533号
【特許文献２】特開2004-209897号公報
【特許文献３】特許第4872849号
【発明の概要】
【発明が解決しようとする課題】
【０００４】
しかしながら従来技術のうち、キャップ内に貯める液として固着しやすい成分（顔料等）を含むインクを用いる場合、キャップ内の湿度が上がらず、保湿が不十分になるという課題がある。
【０００５】
また、特許文献２では、キャップ内に貯める液として洗浄液を用いる提案がなされている。ただし、インク吐出面を洗浄する機構がキャップのように密閉された構造でない場合、その洗浄液にその液自体の蒸発を防ぐ目的の成分(グリセリン等)を含むことが多い。すると、その洗浄液をキャップ内に貯めていても、キャップ内の湿度が上がらず保湿が不十分になるという課題がある。また、特許文献３のように、インクを受けるキャップとは別に保湿専用のキャップを設ける提案もなされている。しかし目的に応じた液体を入れるキャップを複数設ける場合、その切替機構を含め装置が大型化するという課題がある。
【０００６】
本発明は上記従来例に鑑みてなされたもので、１つのキャップ機構に対し、記録ヘッドのキャップに供給する液体の種類を必要に応じて切り替えることにより、ヘッドの吐出性能を維持する記録装置及びその制御方法を提供することを目的とする。
【課題を解決するための手段】
【０００７】
この目的を達成するため本発明では、第１の側面では、インクを吐出する吐出口を有し画像を記録する記録ヘッドと、
前記吐出口をキャッピングするためのキャップと、
複数種類の保守用液のうちの一つを選択的に前記キャップ内に供給する供給手段と
を有することを特徴とする記録装置が提供される。
【発明の効果】
【０００８】
本発明は、１つのキャップ機構に対し、記録ヘッドのキャップに供給する液体の種類を必要に応じて切り替えることにより、ヘッドの吐出性能を維持する効果を奏する。
【図面の簡単な説明】
【０００９】
【図１】記録システムの概要図。
【図２】記録ユニットの斜視図。
【図３】図２の記録ユニットの変位態様の説明図。
【図４】図１の記録システムの制御系のブロック図。
【図５】図１の記録システムの制御系のブロック図。
【図６】図１の記録システムの動作例の説明図。
【図７】図１の記録システムの動作例の説明図。
【図８】図３の回復ユニットの斜視図。
【図９】図３の回復ユニットの概要図。
【図１０】図９の切替制御部の動作例のフローチャート。
【図１１】図１０の「保湿」の動作例のフローチャート。
【図１２】図１０の「洗浄」の動作例のフローチャート。
【発明を実施するための形態】
【００１０】
図面を参照して本発明の実施形態について説明する。各図において、矢印ＸおよびＹは水平方向を示し、互いに直交する。矢印Ｚは上下方向を示す。
【００１１】
＜記録システム＞
図１は本発明の一実施形態に係る記録システム１を概略的に示した正面図である。記録システム１は、転写体２を介して記録媒体Ｐにインク像を転写することで記録物Ｐ'を製造する、枚葉式のインクジェットプリンタである。記録システム１は、記録装置１Ａと、搬送装置１Ｂとを含む。本実施形態では、Ｘ方向、Ｙ方向、Ｚ方向が、それぞれ、記録システム１の幅方向（全長方向）、奥行き方向、高さ方向を示している。記録媒体ＰはＸ方向に搬送される。
【００１２】
なお、「記録」には、文字、図形等有意の情報を形成する場合のみならず、有意無意を問わず、広く記録媒体上に画像、模様、パターン等を形成する、又は媒体の加工を行う場合も含まれ、人間が視覚で知覚し得るように顕在化したものであるか否かを問わない。また、本実施形態では「記録媒体」としてシート状の紙を想定するが、布、プラスチック・フィルム等であってもよい。
【００１３】
インクの成分については、特に限定はないが、本実施形態では、色材である顔料、水、樹脂を含む水性顔料インクを用いる場合を想定する。
【００１４】
＜記録装置＞
記録装置１Ａは、記録ユニット３、転写ユニット４および周辺ユニット５Ａ〜５Ｄ、および、供給ユニット６を含む。
【００１５】
＜記録ユニット＞
記録ユニット３は、複数の記録ヘッド３０と、キャリッジ３１とを含む。図１と図２を参照する。図２は記録ユニット３の斜視図である。記録ヘッド３０は、転写体２に液体インクを吐出し、転写体２上に記録画像のインク像を形成する。
【００１６】
本実施形態の場合、各記録ヘッド３０は、Ｙ方向に延設されたフルラインヘッドであり、使用可能な最大サイズの記録媒体の画像記録領域の幅分をカバーする範囲にノズルが配列されている。記録ヘッド３０は、その下面に、ノズルが開口したインク吐出面を有しており、インク吐出面は、微小隙間（例えば数ｍｍ）を介して転写体２の表面と対向している。本実施形態の場合、転写体２は円軌道上を循環的に移動する構成であるため、複数の記録ヘッド３０は、放射状に配置されている。
【００１７】
各ノズルには吐出素子が設けられている。吐出素子は、例えば、ノズル内に圧力を発生させてノズル内のインクを吐出させる素子であり、公知のインクジェットプリンタのインクジェットヘッドの技術が適用可能である。吐出素子としては、例えば電気−熱変換体によりインクに膜沸騰を生じさせ気泡を形成することでインクを吐出する素子、電気−機械変換体によってインクを吐出する素子、静電気を利用してインクを吐出する素子等が挙げられる。高速で高密度の記録の観点からは電気−熱変換体を利用した吐出素子を用いることができる。
【００１８】
本実施形態の場合、記録ヘッド３０は、９つ設けられている。各記録ヘッド３０は、互いに異なる種類のインクを吐出する。異なる種類のインクとは、例えば、色材が異なるインクであり、イエローインク、マゼンタインク、シアンインク、ブラックインク等のインクである。１つの記録ヘッド３０は１種類のインクを吐出するが、１つの記録ヘッド３０が複数種類のインクを吐出する構成であってもよい。このように複数の記録ヘッド３０を設けた場合、そのうちの一部が色材を含まないインク（例えばクリアインク）を吐出してもよい。
【００１９】
キャリッジ３１は、複数の記録ヘッド３０を支持する。各記録ヘッド３０は、インク吐出面側の端部がキャリッジ３１に固定されている。これにより、インク吐出面と転写体２との表面の隙間をより精密に維持することができる。キャリッジ３１は、案内部材ＲＬの案内によって、記録ヘッド３０を搭載しつつ変位可能に構成されている。本実施形態の場合、案内部材ＲＬは、Ｙ方向に延設されたレール部材であり、Ｘ方向に離間して一対設けられている。キャリッジ３１のＸ方向の各側部にはスライド部３２が設けられている。スライド部３２は案内部材ＲＬと係合し、案内部材ＲＬに沿ってＹ方向にスライドする。
【００２０】
図３は記録ユニット３の変位態様を示しており、記録システム１の右側面を模式的に示した図である。記録システム１の後部には回復ユニット１２が設けられている。回復ユニット１２は記録ヘッド３０の吐出性能を回復する機構を有する。図８は回復ユニットの斜視図であり、図９は回復ユニットの概略図である。回復ユニット１２の中には記録ヘッド３０それぞれと対になる形でインク吐出面をキャッピングするキャップ機構（キャップとも呼ぶ）１２０１をインクの色毎に有する。キャップ１２０１は、記録ヘッド３０が退避位置（回復のための位置）にあるときに、記録ヘッド３０に対向するよう設けられる。また、キャップ１２０１にインク吐出面の性能を維持するための液を供給する供給経路１２０２、および駆動部として供給ポンプ１２０３を有する。供給経路１２０２の途中には、キャップ１２０１に供給する２種類の液を切り替えられる三方弁（供給液切替えバルブとも呼ぶ）１２０４を有する。三方弁の残りの二経路にはヘッド吐出面の洗浄液が貯蔵されている洗浄液タンクＴＫ１と繋がる第１流路１２０５と、ヘッド吐出面の保湿液を貯蔵する保湿液タンクＴＫ２と繋がる第２流路１２０６を有する。また、キャップ１２０１にはその中の液を排出するための、液排出流路１２０７と排出液を送液する排出ポンプ１２０８（図８には不図示）を有する。また、その外の回復機構としては例えばインク吐出面をワイピングするワイパ機構、インク吐出面から記録ヘッド３０内のインクを負圧吸引する吸引機構を挙げることができる。なお図８においては明記されていない液流路は図９のように接続される。キャップ１２０１は、たとえば対応する記録ヘッド３０に配置されたノズル群を囲い込むように形成されており、キャップ１２０１を記録ヘッド３０に密着させてキャッピングすることができる（キャップクローズ）。キャップクローズ状態のキャップ１２１０の内部に保湿液などを保持できるように構成されてよい。本実施形態においては、キャップ１２０１によってキャッピングしていた時間（キャップクローズ時間）を計測するために、キャッピングの開始と同時にタイマー（計測手段）を起動する。
【００２１】
図３に示すように、案内部材ＲＬは、転写体２の側方から回復ユニット１２に渡って延設されている。記録ユニット３は、案内部材ＲＬの案内により、実線で記録ユニット３を示した吐出位置ＰＯＳ１と、破線で記録ユニット３を示した回復位置ＰＯＳ３との間で変位可能であり、不図示の駆動機構により移動される。また、記録ユニット３が回復位置へ移動する際、インク吐出面を清拭することができるように、不図示の洗浄液が塗布されたローラを有する吐出面清拭機構が設置されている。なお、本実施形態の洗浄液は、液体の蒸散を防ぐために、グリセリンを溶媒としたものを用いる。また、保湿液としては純水を用いる。
【００２２】
吐出位置ＰＯＳ１は、記録ユニット３が転写体２にインクを吐出する位置であり、記録ヘッド３０のインク吐出面が転写体２の表面に対向する位置である。回復位置ＰＯＳ３は、吐出位置ＰＯＳ１から退避した位置であり、記録ユニット３が回復ユニット１２上に位置する位置である。回復ユニット１２は記録ユニット３が回復位置ＰＯＳ３に位置した場合に、記録ヘッド３０に対する回復処理を実行可能である。本実施形態の場合、記録ユニット３が回復位置ＰＯＳ３に到達する前の移動途中においても回復処理を実行可能である。吐出位置ＰＯＳ１と回復位置ＰＯＳ３の間には予備回復位置ＰＯＳ２があり、回復ユニット１２は記録ヘッド３０が吐出位置ＰＯＳ１から回復位置ＰＯＳ３へ移動している間に、予備回復位置ＰＯＳ２において記録ヘッド３０に対する予備的な回復処理を実行可能である。
【００２３】
＜転写ユニット＞
図１を参照して転写ユニット４について説明する。転写ユニット４は、転写ドラム（転写胴）４１と圧胴４２とを含む。これらの胴は、Ｙ方向の回転軸周りに回転する回転体であり、円筒形状の外周面を有している。図１において、転写ドラム４１および圧胴４２の各図形内に示した矢印は、これらの回転方向を示しており、転写ドラム４１は時計回りに、圧胴４２は反時計回りに回転する。
【００２４】
転写ドラム４１は、その外周面に転写体２を支持する支持体である。転写体２は、転写ドラム４１の外周面上に、周方向に連続的にあるいは間欠的に設けられる。連続的に設けられる場合、転写体２は無端の帯状に形成される。間欠的に設けられる場合、転写体２は、有端の帯状に複数のセグメントに分けて形成され、各セグメントは転写ドラム４１の外周面に等ピッチで円弧状に配置することができる。
【００２５】
転写ドラム４１の回転により、転写体２は円軌道上を循環的に移動する。転写ドラム４１の回転位相により、転写体２の位置は、吐出前処理領域Ｒ１、吐出領域Ｒ２、吐出後処理領域Ｒ３およびＲ４、転写領域Ｒ５、転写後処理領域Ｒ６に区別することができる。転写体２はこれらの領域を循環的に通過する。
【００２６】
吐出前処理領域Ｒ１は、記録ユニット３によるインクの吐出前に転写体２に対する前処理を行う領域であり、周辺ユニット５Ａによる処理が行われる領域である。本実施形態の場合、反応液が付与される。吐出領域Ｒ２は記録ユニット３が転写体２にインクを吐出してインク像を形成する形成領域である。吐出後処理領域Ｒ３およびＲ４はインクの吐出後にインク像に対する処理を行う処理領域であり、吐出後処理領域Ｒ３は周辺ユニット５Ｂによる処理が行われる領域であり、吐出後処理領域Ｒ４は周辺ユニット５Ｃによる処理が行われる領域である。転写領域Ｒ５は転写ユニット４により転写体２上のインク像が記録媒体Ｐに転写される領域である。転写後処理領域Ｒ６は、転写後に転写体２に対する後処理を行う領域であり、周辺ユニット５Ｄによる処理が行われる領域である。
【００２７】
本実施形態の場合、吐出領域Ｒ２は、一定の区間を有する領域である。他の領域Ｒ１、Ｒ３〜Ｒ６は、吐出領域Ｒ２に比べるとその区間は狭い。時計の文字盤に喩えると、本実施形態の場合、吐出前処理領域Ｒ１は概ね１０時の位置であり、吐出領域Ｒ２は概ね１１時から１時の範囲であり、吐出後処理領域Ｒ３は概ね２時の位置であり、吐出後処理領域Ｒ４は概ね４時の位置である。転写領域Ｒ５は概ね６時の位置であり、転写後処理領域Ｒ６は概ね８時の領域である。
【００２８】
転写体２は、単層から構成してもよいが、複数層の積層体としてもよい。複数層で構成する場合、例えば、表面層、弾性層、圧縮層の三層を含んでもよい。表面層はインク像が形成される画像形成面を有する最外層である。圧縮層を設けることで、圧縮層が変形を吸収し、局所的な圧力変動に対してその変動を分散し、高速記録時においても転写性を維持することができる。弾性層は表面層と圧縮層との間の層である。
【００２９】
表面層の材料としては、樹脂、セラミック等各種材料を適宜用いることができるが、耐久性等の点で圧縮弾性率の高い材料を用いることができる。具体的には、アクリル樹脂、アクリルシリコーン樹脂、フッ素含有樹脂、加水分解性有機ケイ素化合物を縮合して得られる縮合物等が挙げられる。表面層には、反応液の濡れ性、画像の転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
【００３０】
圧縮層の材料としては、例えばアクリロニトリル−ブタジエンゴム、アクリルゴム、クロロプレンゴム、ウレタンゴム、シリコーンゴム等が挙げられる。このようなゴム材料の成形時には、所定量の加硫剤、加硫促進剤等を配合し、さらに発泡剤、中空微粒子或いは食塩等の充填剤を必要に応じて配合し、多孔質のゴム材料としてもよい。これにより、様々な圧力変動に対して気泡部分が体積変化を伴って圧縮されるため、圧縮方向以外への変形が小さく、より安定した転写性、耐久性を得ることができる。多孔質のゴム材料としては、各気孔が互いに連続した連続気孔構造のものと、各気孔がそれぞれ独立した独立気孔構造のものがあるが、いずれの構造であってもよく、これらの構造を併用してもよい。
【００３１】
弾性層の部材としては、樹脂、セラミック等、各種材料を適宜用いることができる。加工特性等の点で、各種エラストマー材料、ゴム材料を用いることができる。具体的には、例えばフルオロシリコーンゴム、フェニルシリコーンゴム、フッ素ゴム、クロロプレンゴム、ウレタンゴム、ニトリルゴム等が挙げられる。また、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で有利である。また、温度による弾性率の変化が小さく、転写性の点でも有利である。
【００３２】
表面層と弾性層の間、弾性層と圧縮層の間には、これらを固定するために各種接着剤や両面テープを用いることもできる。また、転写体２は、転写ドラム４１に装着する際の横伸びの抑制や、コシを保つために圧縮弾性率が高い補強層を含んでもよい。また、織布を補強層としてもよい。転写体２は前記材質による各層を任意に組み合わせて作製することができる。
【００３３】
圧胴４２は、その外周面が転写体２に圧接される。圧胴４２の外周面には、記録媒体Ｐの先端部を保持するグリップ機構が少なくとも一つ設けられている。グリップ機構は圧胴４２の周方向に離間して複数設けてもよい。記録媒体Ｐは圧胴４２の外周面に密接して搬送されつつ、圧胴４２と転写体２とのニップ部を通過するときに、転写体２上のインク像が転写される。転写ドラム４１と圧胴４２とを駆動するモータ等の駆動源は、これらに共通とし、歯車機構等の伝達機構により、駆動力を分配することができる。
【００３４】
＜周辺ユニット＞
周辺ユニット５Ａ〜５Ｄは転写ドラム４１の周囲に配置されている。本実施形態の場合、周辺ユニット５Ａ〜５Ｄは、順に、付与ユニット、吸収ユニット、加熱ユニット、清掃ユニットである。
【００３５】
付与ユニット５Ａは、記録ユニット３によるインクの吐出前に、転写体２上に反応液を付与する機構である。反応液は、インクを高粘度化する成分を含有する液体である。ここで、インクの高粘度化とは、インクを構成している色材や樹脂等がインクを高粘度化する成分と接触することによって化学的に反応し、あるいは物理的に吸着し、これによってインクの粘度の上昇が認められることである。このインクの高粘度化には、インク全体の粘度上昇が認められる場合のみならず、色材や樹脂等のインクを構成する成分の一部が凝集することにより局所的に粘度の上昇が生じる場合も含まれる。
【００３６】
インクを高粘度化する成分は、金属イオン、高分子凝集剤など、特に制限はないが、インクのｐＨ変化を引き起こして、インク中の色材を凝集させる物質を用いることができ、有機酸を用いることができる。反応液の付与機構としては、例えば、ローラ、記録ヘッド、ダイコーティング装置（ダイコータ）、ブレードコーティング装置（ブレードコータ）などが挙げられる。転写体２に対するインクの吐出前に反応液を転写体２に付与しておくと、転写体２に達したインクを直ちに定着させることができる。これにより、隣接するインク同士が混ざり合うブリーディングを抑制することができる。
【００３７】
吸収ユニット５Ｂは、転写前に、転写体２上のインク像から液体成分を吸収する機構である。インク像の液体成分を減少させることで、記録媒体Ｐに記録される画像のにじみ等を抑制することができる。液体成分の減少を異なる視点で説明すれば、転写体２上のインク像を構成するインクを濃縮すると表現することもできる。インクを濃縮するとは、インクに含まれる液体成分が減少することによって、インクに含まれる色材や樹脂といった固形分の液体成分に対する含有割合が増加することを意味する。
【００３８】
吸収ユニット５Ｂは、例えば、インク像に接触してインク像の液体成分の量を減少させる液吸収部材を含む。液吸収部材はローラの外周面に形成されてもよいし、液吸収部材が無端のシート状に形成され、循環的に走行されるものでもよい。インク像の保護の点で、液吸収部材の移動速度を転写体２の周速度と同じにして液吸収部材を転写体２と同期して移動させてもよい。
【００３９】
液吸収部材は、インク像に接触する多孔質体を含んでもよい。液吸収部材へのインク固形分付着を抑制するため、インク像に接触する面の多孔質体の孔径は、１０μｍ以下であってもよい。ここで、孔径とは平均直径のことを示し、公知の手段、例えば水銀圧入法や、窒素吸着法、ＳＥＭ画像観察等で測定可能である。なお、液体成分は、一定の形を有さず、流動性があり、ほぼ一定の体積を有するものであれば、特に限定されるものではない。例えば、インクや反応液に含まれる水や有機溶媒等が液体成分として挙げられる 。
【００４０】
加熱ユニット５Ｃは、転写前に、転写体２上のインク像を加熱する機構である。インク像を加熱することで、インク像中の樹脂が溶融し、記録媒体Ｐへの転写性を向上する。加熱温度は、樹脂の最低造膜温度（ＭＦＴ）以上とすることができる。ＭＦＴは一般的に知られている手法、例えばＪＩＳ  Ｋ  ６８２８−２：２００３や、ＩＳＯ２１１５：１９９６に準拠した各装置で測定することが可能である。転写性及び画像の堅牢性の観点から、ＭＦＴよりも１０℃以上高い温度で加熱してもよく、更に、２０℃以上高い温度で加熱してもよい。加熱ユニット５Ｃは、例えば、赤外線等の各種ランプ、温風ファン等、公知の加熱デバイスを用いることができる。加熱効率の点で、赤外線ヒータを用いることができる。
【００４１】
清掃ユニット５Ｄは、転写後に転写体２上を清掃する機構である。清掃ユニット５Ｄは、転写体２上に残留したインクや、転写体２上のごみ等を除去する。清掃ユニット５Ｄは、例えば、多孔質部材を転写体２に接触させる方式、ブラシで転写体２の表面を擦る方式、ブレードで転写体２の表面をかきとる方式等の公知の方式を適宜用いることができる。また、清掃に用いる清掃部材は、ローラ形状、ウェブ形状等、公知の形状を用いることができる。
【００４２】
以上の通り、本実施形態では、付与ユニット５Ａ、吸収ユニット５Ｂ、加熱ユニット５Ｃ、清掃ユニット５Ｄを周辺ユニットとして備えるが、これらの一部のユニットに転写体２の冷却機能を付与するか、あるいは、冷却ユニットを追加してもよい。本実施形態では、加熱ユニット５Ｃの熱により転写体２の温度が上昇する場合がある。記録ユニット３により転写体２にインクを吐出した後、インク像がインクの主溶剤である水の沸点を超えると、吸収ユニット５Ｂによる液体成分の吸収性能が低下する場合がある。吐出されたインクが水の沸点未満に維持されるように転写体２を冷却することで、液体成分の吸収性能を維持することができる。
【００４３】
冷却ユニットは、転写体２に送風する送風機構や、転写体２に部材（例えばローラ）を接触させ、この部材を空冷または水冷で冷却する機構であってもよい。また、清掃ユニット５Ｄの清掃部材を冷却する機構であってもよい。冷却タイミングは、転写後、反応液の付与前までの期間であってもよい。
【００４４】
＜供給ユニット＞
供給ユニット６は、記録ユニット３の各記録ヘッド３０にインクを供給する機構である。供給ユニット６は記録システム１の後部側に設けられていてもよい。供給ユニット６は、インクの種類毎に、インクを貯留する貯留部ＴＫを備える。また、洗浄液と保湿液といった保守用液を貯留する保守用貯留部ＴＫ１、ＴＫ２も備える。貯留部ＴＫは、メインタンクとサブタンクとによって構成されてもよい。各貯留部ＴＫと各記録ヘッド３０とは流路６ａで連通し、貯留部ＴＫから記録ヘッド３０へインクが供給される。流路６ａは、貯留部ＴＫと記録ヘッド３０との間でインクを循環させる流路であってもよく、供給ユニット６はインクを循環させるポンプ等を備えてもよい。流路６ａの途中または貯留部ＴＫには、インク中の気泡を脱気する脱気機構を設けてもよい。流路６ａの途中または貯留部ＴＫには、インクの液圧と大気圧との調整を行うバルブを設けてもよい。貯留部ＴＫ内のインク液面が、記録ヘッド３０のインク吐出面よりも低い位置となるように、貯留部ＴＫと記録ヘッド３０のＺ方向の高さが設計されてもよい。保守用貯留部ＴＫ１、ＴＫ２は図３で説明した通りの構成を持ち、その内部には、保守用液として本例では洗浄液と保湿液とをそれぞれ蓄えており、三方弁１２０４(図３参照)の働きにより、いずれか一方の液を選択してキャップ１２０１に供給できる。なお、保守用貯留部ＴＫ１、ＴＫ２は供給ユニット６以外の場所に配置されても良く、ユーザによってアクセスしやすい場所であれば記録システム１の内部または外部であってもよい。
【００４５】
＜搬送装置＞
搬送装置１Ｂは、記録媒体Ｐを転写ユニット４へ給送し、インク像が転写された記録物Ｐ'を転写ユニット４から排出する装置である。搬送装置１Ｂは、給送ユニット７、複数の搬送胴８、８ａ、二つのスプロケット８ｂ、チェーン８ｃおよび回収ユニット８ｄを含む。図１において、搬送装置１Ｂの各構成の図形の内側の矢印はその構成の回転方向を示し、外側の矢印は記録媒体Ｐまたは記録物Ｐ'の搬送経路を示している。記録媒体Ｐは給送ユニット７から転写ユニット４へ搬送され、記録物Ｐ'は転写ユニット４から回収ユニット８ｄへ搬送される。給送ユニット７側を搬送方向で上流側と呼び、回収ユニット８ｄ側を下流側と呼ぶ場合がある。
【００４６】
給送ユニット７は、複数の記録媒体Ｐが積載される積載部を含むと共に、積載部から一枚ずつ記録媒体Ｐを、最上流の搬送胴８に給送する給送機構を含む。各搬送胴８、８ａはＹ方向の回転軸周りに回転する回転体であり、円筒形状の外周面を有している。各搬送胴８、８ａの外周面には、記録媒体Ｐ（または記録物Ｐ'）の先端部を保持するグリップ機構が少なくとも一つ設けられている。各グリップ機構は、隣接する搬送胴間で記録媒体Ｐを受け渡されるように、その把持動作および解除動作が制御される。
【００４７】
二つの搬送胴８ａは、記録媒体Ｐの反転用の搬送胴である。記録媒体Ｐを両面記録する場合、表面への転写後に、圧胴４２から下流側に隣接する搬送胴８へ記録媒体Ｐを渡さずに、搬送胴８ａに渡す。記録媒体Ｐは、二つの搬送胴８ａを経由して表裏が反転され、圧胴４２の上流側の搬送胴８を経由して再び圧胴４２へ渡される。これにより、記録媒体Ｐの裏面が転写ドラム４１に面することになり、裏面にインク像が転写される。
【００４８】
チェーン８ｃは、二つのスプロケット８ｂ間に巻き回されている。二つのスプロケット８ｂの一方は駆動スプロケットであり他方は従動スプロケットである。駆動スプロケットの回転によりチェーン８ｃが循環的に走行する。チェーン８ｃには、その長手方向に離間して複数のグリップ機構が設けられている。グリップ機構は、記録物Ｐ'の端部を把持する。下流端に位置する搬送胴８からチェーン８ｃのグリップ機構に記録物Ｐ'が渡され、グリップ機構に把持された記録物Ｐ'はチェーン８ｃの走行により回収ユニット８ｄへ搬送され、把持が解除される。これにより記録物Ｐ'が回収ユニット８ｄ内に積載される。
【００４９】
＜後処理ユニット＞
搬送装置１Ｂには、後処理ユニット１０Ａ、１０Ｂが設けられている。後処理ユニット１０Ａ、１０Ｂは転写ユニット４よりも下流側に配置され、記録物Ｐ'に対して後処理を行う機構である。後処理ユニット１０Ａは、記録物Ｐ'の表面に対する処理を行い、後処理ユニット１０Ｂは、記録物Ｐ'の裏面に対する処理を行う。処理の内容としては、例えば、記録物Ｐ'の画像記録面に、画像の保護や艶出し等を目的としたコーティングを挙げることができる。コーティングの内容としては、例えば、液体の塗布、シートの溶着、ラミネート等を挙げることができる。
【００５０】
＜検査ユニット＞
搬送装置１Ｂには、検査ユニット９Ａ、９Ｂが設けられている。検査ユニット９Ａ、９Ｂは転写ユニット４よりも下流側に配置され、記録物Ｐ'の検査を行う機構である。
【００５１】
本実施形態の場合、検査ユニット９Ａは、記録物Ｐ'に記録された画像を撮影する撮影装置であり、例えば、ＣＣＤセンサやＣＭＯＳセンサ等の撮像素子を含む。検査ユニット９Ａは、連続的に行われる記録動作中に、記録画像を撮影する。検査ユニット９Ａが撮影した画像に基づいて、記録画像の色味などの経時変化を確認し、画像データあるいは記録データの補正の可否を判断することができる。本実施形態の場合、検査ユニット９Ａは、圧胴４２の外周面に撮像範囲が設定されており、転写直後の記録画像を部分的に撮影可能に配置されている。検査ユニット９Ａにより全ての記録画像の検査を行ってもよいし、所定数毎に検査を行ってもよい。
【００５２】
本実施形態の場合、検査ユニット９Ｂも、記録物Ｐ'に記録された画像を撮影する撮影装置であり、例えば、ＣＣＤセンサやＣＭＯＳセンサ等の撮像素子を含む。検査ユニット９Ｂは、テスト記録動作において記録画像を撮影する。検査ユニット９Ｂは、記録画像の全体を撮影し、検査ユニット９Ｂが撮影した画像に基づいて、記録データに関する各種の補正の基本設定を行うことができる。本実施形態の場合、チェーン８ｃで搬送される記録物Ｐ'を撮影する位置に配置されている。検査ユニット９Ｂにより記録画像を撮影する場合、チェーン８ｃの走行を一時的に停止して、その全体を撮影する。検査ユニット９Ｂは、記録物Ｐ'上を走査するスキャナであってもよい。
【００５３】
＜制御ユニット＞
次に、記録システム１の制御ユニットについて説明する。図４および図５は記録システム１の制御ユニット１３のブロック図である。制御ユニット１３は、上位装置（ＤＦＥ）ＨＣ２に通信可能に接続され、また、上位装置ＨＣ２はホスト装置ＨＣ１に通信可能に接続される。
【００５４】
ホスト装置ＨＣ１では、記録画像の元になる原稿データが生成、あるいは保存される。ここでの原稿データは、例えば、文書ファイルや画像ファイル等の電子ファイルの形式で生成される。この原稿データは、上位装置ＨＣ２へ送信され、上位装置ＨＣ２では、受信した原稿データを制御ユニット１３で利用可能なデータ形式（例えば、ＲＧＢで画像を表現するＲＧＢデータ）に変換する。変換後のデータは、画像データとして上位装置ＨＣ２から制御ユニット１３へ送信され、制御ユニット１３は受信した画像データに基づき、記録動作を開始する。
【００５５】
本実施形態の場合、制御ユニット１３は、メインコントローラ１３Ａと、エンジンコントローラ１３Ｂとに大別される。メインコントローラ１３Ａは、処理部１３１、記憶部１３２、操作部１３３、画像処理部１３４、通信Ｉ／Ｆ（インタフェース）１３５、バッファ１３６および通信Ｉ／Ｆ１３７を含む。
【００５６】
処理部１３１は、ＣＰＵ等のプロセッサであり、記憶部１３２に記憶されたプログラムを実行し、メインコントローラ１３Ａ全体の制御を行う。記憶部１３２は、ＲＡＭ、ＲＯＭ、ハードディスク、ＳＳＤ等の記憶デバイスであり、ＣＰＵ１３１が実行するプログラムや、データを格納し、また、ＣＰＵ１３１にワークエリアを提供する。操作部１３３は、例えば、タッチパネル、キーボード、マウス等の入力デバイスであり、ユーザの指示を受け付ける。
【００５７】
画像処理部１３４は例えば画像処理プロセッサを有する電子回路である。バッファ１３６は、例えば、ＲＡＭ、ハードディスクやＳＳＤである。通信Ｉ／Ｆ１３５は上位装置ＨＣ２との通信を行い、通信Ｉ／Ｆ１３７はエンジンコントローラ１３Ｂとの通信を行う。図４において破線矢印は、画像データの処理の流れを例示している。上位装置ＨＣ２から通信ＩＦ１３５を介して受信された画像データは、バッファ１３６に蓄積される。画像処理部１３４はバッファ１３６から画像データを読み出し、読み出した画像データに所定の画像処理を施して、再びバッファ１３６に格納する。バッファ１３６に格納された画像処理後の画像データは、プリントエンジンが用いる記録データとして、通信Ｉ／Ｆ１３７からエンジンコントローラ１３Ｂへ送信される。
【００５８】
図５に示すように、エンジンコントローラ１３Ｂは、制御部１４、１５Ａ〜１５Ｅを含み、記録システム１が備えるセンサ群およびアクチュエータ群１６の検知結果の取得および駆動制御を行う。これらの各制御部は、ＣＰＵ等のプロセッサ、ＲＡＭやＲＯＭ等の記憶デバイス、外部デバイスとのインタフェースを含む。なお、制御部の区分けは一例であり、一部の制御を更に細分化した複数の制御部で実行してもよいし、逆に、複数の制御部を統合して、それらの制御内容を一つの制御部で行うように構成してもよい。
【００５９】
エンジン制御部１４は、エンジンコントローラ１３Ｂの全体の制御を行う。記録制御部１５Ａは、メインコントローラ１３Ａから受信した記録データをラスタデータ等、記録ヘッド３０の駆動に適したデータ形式に変換する。記録制御部１５Ａは、各記録ヘッド３０の吐出制御を行う。
【００６０】
転写制御部１５Ｂは、付与ユニット５Ａの制御、吸収ユニット５Ｂの制御、加熱ユニット５Ｃの制御、および清掃ユニット５Ｄの制御を行う。
【００６１】
信頼性制御部１５Ｃは、供給ユニット６の制御、回復ユニット１２の制御、および記録ユニット３を吐出位置ＰＯＳ１と回復位置ＰＯＳ３との間で移動させる駆動機構の制御を行う。
【００６２】
搬送制御部１５Ｄは、転写ユニット４の駆動制御や、搬送装置１Ｂの制御を行う。検査制御部１５Ｅは、検査ユニット９Ｂの制御、および検査ユニット９Ａの制御を行う。
【００６３】
センサ群およびアクチュエータ群１６のうち、センサ群には、可動部の位置や速度を検知するセンサ、温度を検知するセンサ、撮像素子等が含まれる。アクチュエータ群にはモータ、電磁ソレノイド、電磁バルブ等が含まれる。
【００６４】
＜動作例＞
図６は記録動作の例を模式的に示す図である。転写ドラム４１および圧胴４２が回転されつつ、以下の各工程が循環的に行われる。状態ＳＴ１に示すように、始めに転写体２上に付与ユニット５Ａから反応液Ｌが付与される。転写体２上の反応液Ｌが付与された部位は転写ドラム４１の回転に伴って移動していく。反応液Ｌが付与された部位が記録ヘッド３０の下に到達すると、状態ＳＴ２に示すように記録ヘッド３０から転写体２にインクが吐出される。これによりインク像ＩＭが形成される。その際、吐出されるインクが転写体２上の反応液Ｌと混ざりあうことで、色材の凝集が促進される。吐出されるインクは、供給ユニット６の貯留部ＴＫから記録ヘッド３０に供給される。
【００６５】
転写体２上のインク像ＩＭは転写体２の回転に伴って移動していく。インク像ＩＭが吸収ユニット５Ｂに到達すると状態ＳＴ３に示すように吸収ユニット５Ｂによりインク像ＩＭから液体成分が吸収される。インク像ＩＭが加熱ユニット５Ｃに到達すると状態ＳＴ４に示すように加熱ユニット５Ｃによりインク像ＩＭが加熱され、インク像ＩＭ中の樹脂が溶融し、インク像ＩＭが造膜される。このようなインク像ＩＭの形成に同期して、搬送装置１Ｂにより記録媒体Ｐが搬送される。
【００６６】
状態ＳＴ５に示すように、インク像ＩＭと記録媒体Ｐとが転写体２と圧胴４２とのニップ部に到達し、記録媒体Ｐにインク像ＩＭが転写され、記録物Ｐ'が製造される。ニップ部を通過すると、記録物Ｐ'に記録された画像が検査ユニット９Ａにより撮影され、記録画像が検査される。記録物Ｐ'は搬送装置１Ｂにより回収ユニット８ｄへ搬送される。
【００６７】
転写体２上のインク像ＩＭが形成されていた部分は、清掃ユニット５Ｄに到達すると状態ＳＴ６に示すように清掃ユニット５Ｄにより清掃される。清掃後、転写体２は一回転したことになり、同様の手順で記録媒体Ｐへのインク像の転写が繰り返し行われる。上記の説明では理解を容易にするために、転写体２の一回転で一枚の記録媒体Ｐへのインク像ＩＭの転写が一回行われるように説明したが、転写体２の一回転で複数枚の記録媒体Ｐへのインク像ＩＭの転写が連続的に行うことができる。
【００６８】
このような記録動作を継続していくと、各記録ヘッド３０のメンテナンスが必要となる。図７は各記録ヘッド３０のメンテナンスの際の動作例を示している。状態ＳＴ１１は、吐出位置ＰＯＳ１に記録ユニット３が位置している状態を示す。状態ＳＴ１２は、記録ユニット３が予備回復位置ＰＯＳ２を通過している状態を示し、通過中に回復ユニット１２により記録ユニット３の各記録ヘッド３０の吐出性能を回復する処理が実行される。その後、状態ＳＴ１３に示すように、記録ユニット３が回復位置ＰＯＳ３に位置した状態で、回復ユニット１２により各記録ヘッド３０の吐出性能を回復する回復処理が実行される。
【００６９】
●回復処理
図１０を参照して、信頼性制御部１５Ｃによる回復ユニット１２の制御について説明する。図１０の処理は例えば記録装置１の起動時（電源投入時など）に、それぞれのキャップ１２０１を対象として実行される。記録装置１の起動時において、Ｓ１０１で前回の装置終了状態が正常終了であったかを判断する。ここにおける正常終了とは、エラーが発生せずに記録ヘッド３０をキャッピングした状態で装置の電源が落とされたことを指す。この判定は、たとえば装置の電源オフ時に正常であれば正常終了であることを示す情報を所定の不揮発性記憶領域に記憶しておき、起動時にＳ１０１でその領域を参照することで行える。したがって処理ステップがＳ１０１からＳ１０２へ遷移する際には、その正常終了であることを示す情報を消去しておく。このＳ１０１の判定結果が、正常終了だった場合、Ｓ１０２においてキャップクローズ時間が閾値未満かどうかを判定する。キャップクローズ時間は、図３を参照して説明したように、キャップ１２０１のクローズ時に起動したタイマーを参照することで取得できる。
【００７０】
Ｓ１０１の判定結果が、正常終了でなかった場合、またはＳ１０２の判定結果が閾値以上であった場合は、後述するＳ１０３の保湿処理を実行する。これは例えば、記録ヘッド３０が乾燥している可能性があるためである。すなわち、記録ヘッド３０が乾燥している可能性があると判定した場合には保湿処理によりキャップ１２０１に保湿液を供給する。その後、Ｓ１０３の実施有無にかかわらず、Ｓ１０４において予備吐を実施する。Ｓ１０５において、カウンタによって算出されたキャップ内への予備吐出ドットカウントの累計が所定の閾値を超えているか判定する。その結果、所定の閾値を超えている場合、後述するＳ１０６の洗浄処理を実施する。これは例えば、予備吐により吐出したインクの残留物がキャップ１２０１内の吸収体などに堆積している可能性があるためである。すなわち、キャップ１２０１に堆積物がある可能性があると判定した場合には洗浄処理により洗浄液をキャップ１２０１に供給する。
【００７１】
図１０における保湿処理Ｓ１０３を、図１１を参照して説明する。Ｓ１１１において、供給液切替えバルブ１２０４を保湿液が供給できる方向（保湿液タンクＴＫ２に接続された、第２流路１２０６側）に切り替える。Ｓ１１２において排出ポンプ１２０８を駆動させ、その状態でＳ１１３において供給ポンプ１２０３を一定量駆動させる。この一定量とは、キャップ内への供給経路１２０２およびキャップ１２０１内の残存液を保湿液で共洗いする量である。その後Ｓ１１４において、排出ポンプ１２０８の駆動を停止する。Ｓ１１５において、供給ポンプ１２０３を一定量駆動し、キャップ１２０１を保湿液で満たす。Ｓ１１６において所定の保湿時間が経過するのを待った後、Ｓ１１７において、排出ポンプ１２０８を一定量駆動し、キャップ内の保湿液を排出する。
【００７２】
図１０における洗浄処理Ｓ１０６を、図１２を参照して説明する。Ｓ１２１において、供給液切替えバルブ１２０４を洗浄液が供給できる方向（洗浄液タンクＴＫ１に接続された、第１流路１２０５側）に切り替える。Ｓ１２２において排出ポンプ１２０８の駆動を開始させ、その状態でＳ１２３において供給ポンプ１２０３を一定量駆動させる。この一定量とは、キャップ内への供給経路１２０２およびキャップ１２０１内の残存液を洗浄液で共洗いする量である。その後Ｓ１２４において、排出ポンプ１２０８の駆動を停止する。Ｓ１２５において、供給ポンプ１２０３を一定量駆動し、キャップ１２０１を洗浄液で満たす。Ｓ１２６において、キャップからの液排出ポンプ１２０８を一定量駆動し、キャップ内の洗浄液を排出する。
【００７３】
以上の制御動作によって、１つのキャップ機構に対し、キャップ内に満たす液体の種類を必要に応じて、複数種類の保守用液のうちの一つを選択的に供給することができる。すなわち上記例では、例えば保湿と洗浄とを切り替えることができる。これにより、記録ヘッドの吐出性能を維持することが可能となる。
【００７４】
本実施例の場合、ＴＫ１の液を洗浄液、ＴＫ２の液を保湿液としているが、この構成は一例であり、キャップ内に入れる液体の種類は別のものであってもよい。また、各ポンプの駆動時間や、閾値などは、あらかじめ決められた固定値でも、入力手段等から与えられる可変の値であってもよい。また、上記例では保守用液の切り替えはバルブによって行っている。これに対して、ＴＫ１、ＴＫ２それぞれから記録ヘッドへと独立した供給経路を通して液を供給できるよう構成し、どの供給経路のポンプを駆動するかを選択することで、供給する保守用液の種類を切り替えてもよい。
【００７５】
また図１０の処理は記録装置１の起動時（電源投入時など）に実行されるものとしたが、たとえば所定時間の記録動作或いは所定量の記録動作を行い、回復処理が必要と判断された場合に、記録ヘッド３０を回復位置ＰＯＳ３に移動した状態で開始されてもよい。その場合にはＳ１０１は行わず、Ｓ１０２から開始してもよい。さらに図１０乃至図１２の手順は、エンジンコントローラ１３Ｂの信頼性制御部１５Ｃで実行するものとしたが、他の制御部たとえばメインコントローラ１３Ａの処理部１３１で実行してもよい。その場合にはメインコントローラ１３Ａから遠隔的にセンサ群／アクチュエータ群１６を制御する。
【００７６】
＜他の実施形態＞
上記実施形態では、記録ユニット３が複数の記録ヘッド３０を有するが、一つの記録ヘッド３０を有してもよい。記録ヘッド３０はフルラインヘッドでなくてもよく、記録ヘッド３０を着脱自在に搭載するキャリッジをＹ方向に移動させながら記録ヘッド３０からインクを吐出してインク像を形成するシリアル方式であってもよい。
【００７７】
記録媒体Ｐの搬送機構は、ローラ対によって記録媒体Ｐを挟持して搬送する方式等、他の方式であってもよい。ローラ対によって記録媒体Ｐを搬送する方式等においては、記録媒体Ｐとしてロールシートを用いてもよく、転写後にロールシートをカットして記録物Ｐ'を製造してもよい。
【００７８】
上記実施形態では、転写体２を転写ドラム４１の外周面に設けたが、転写体２を無端の帯状に形成し、循環的に走行させる方式等、他の方式であってもよい。
【００７９】
また、本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８０】
１Ａ  記録装置、１２  回復ユニット、１３  制御ユニット、１３Ａ  メインコントローラ、１３Ｂ  エンジンコントローラ、１５Ｃ  信頼性制御部、１６  センサ群およびアクチュエータ群、３  記録ユニット、３０  記録ヘッド、ＴＫ  インクタンク、ＴＫ１  洗浄液タンク、ＴＫ２  保湿液タンク、１２０２  供給経路、１２０３  供給ポンプ、１２０４  供給液切替えバルブ、１２０５  第１流路、１２０６  第２流路、１２０７  排出路、１２０８  排出ポンプ
【図１】
2020023110.tif 000003
【図２】
2020023110.tif 000004
【図３】
2020023110.tif 000005
【図４】
2020023110.tif 000006
【図５】
2020023110.tif 000007
【図６】
2020023110.tif 000008
【図７】
2020023110.tif 000009
【図８】
2020023110.tif 000010
【図９】
2020023110.tif 000011
【図１０】
2020023110.tif 000012
【図１１】
2020023110.tif 000013
【図１２】
2020023110.tif 000014